(57)【要約】      （修正有）【課題】安価に製造することができると共に、配線しようとするケーブル等の線状物の線径の大小にかかわりなく、その線状物を引っ掛けやすく外れないように保持させて、天井裏や壁空間等の小空間であっても、ケーブル等の牽引や押し込みの配線作業を容易に行うことができるようにした配線用線状物の引っ掛け具を提供する。【解決手段】差込み空間を介して前後に対向させた二本の線材１、２のそれぞれの基端部１ａ、２ａを配線竿の先端に取り付け、前記一方の線材１は、中間部に左右何れかの外方に膨出させた湾曲部１ｂを形成すると共に、先端部に前記湾曲部１ｂと反対方向に曲げたフック部１ｃを形成し、前記他方の線材２は、中間部に前記線材１の湾曲部１ｂと反対方向の外方に膨出させた湾曲部２ｂを形成すると共に、先端部に前記湾曲部２ｂと反対方向に曲げたフック部２ｃを形成した。【選択図】図３
0003160665.tif 000002
【実用新案登録請求の範囲】
【請求項１】
差込み空間（Ｓ）を介して前後に対向させた二本の線材（１、２）のそれぞれの基端部（１ａ、２ａ）を配線竿（Ａ）の先端に取り付け、前記一方の線材（１）は、中間部に左右何れかの外方に膨出させた湾曲部（１ｂ）を形成すると共に、先端部に前記湾曲部（１ｂ）と反対方向に曲げたフック部（１ｃ）を形成したものとし、前記他方の線材（２）は、中間部に前記線材（１）の湾曲部（１ｂ）と反対方向の外方に膨出させた湾曲部（２ｂ）を形成すると共に、先端部に前記湾曲部（２ｂ）と反対方向に曲げたフック部（２ｃ）を形成したものとしたことを特徴とする配線用線状物の引っ掛け具。
【請求項２】
前記二本の線材（１、２）を互いに略左右対称形状にしたことを特徴とする請求項１記載の配線用線状物の引っ掛け具。
【請求項３】
前記基端部（１ａ）と基端部（２ａ）の間に、上方から下方にかけて徐々に窄むようにした線状物挟み部（４）を設けたことを特徴とする請求項１又は２記載の配線用線状物の引っ掛け具。
【請求項４】
前記湾曲部（１ｂ）とフック部（１ｃ）の間に、下方から上方にかけて徐々に窄むようにした線状物挟み部（５ａ）を設け、前記湾曲部（２ｂ）とフック部（２ｃ）の間に、下方から上方にかけて徐々に窄めるようにした線状物挟み部（５ｂ）を設けたことを特徴とする請求項１〜３の何れかに記載の配線用線状物の引っ掛け具。
【考案の詳細な説明】
【技術分野】
【０００１】
この考案は、電線、ケーブル等の線状物を天井裏や壁空間等の小空間に配線するときに使用する引っ掛け具に関するものである。
【背景技術】
【０００２】
従来、この種の配線用線状物の引っ掛け具としては、例えば図１６、１７に示したように、手持ち操作用操作竿Ａの先端部に連結する連結部１１と、基端部１２ａがこの連結部１１に連結された逆Ｖ字状または逆Ｕ字状の引っ掛け具本体１２とからなり、この引っ掛け具本体１２を丸棒状の一本の線材から構成してなるものが存在する。
【０００３】
そして、前記引っ掛け具は、基端側部分１３ａが引っ掛け具本体１２の基体１２ｂ側に取り付けられ、先端部分１３ｂが引っ掛け具本体１２の折り返し部１２ｃ近くに配置された帯板状のスプリング体１３を備えており、このスプリング体１３と引っ掛け具本体１２における引っ掛け体１２ｄとの間に逆Ｖ字状の隙間Ｓａが形成されているとしている（特許文献１）。
【０００４】
そのため、前記図１６、１７に示した引っ掛け具は、配線しようとするケーブルの線径の大小にかかわりなく、ケーブルを隙間Ｓａ内においてスプリング体１３の押圧力によって挟持させた状態で保持させて、引き寄せることができるので、天井裏等における小空間であっても、配線工事を容易にかつ短時間に行うことができるという効果を有するとしている。
【０００５】
また、この種の配線用線状物の引っ掛け具としては、例えば図１８、１９に示したように、前記図１６、１７に示したものと同様の連結部１１と、引っ掛け具本体１２とからなり、さらに引っ掛け具本体１２に左右方向に延びる横軸１４ｂを介して回動自在に保持された回転体１４とからなるものが存在する。
【０００６】
そして、前記回転体１４は、外周面に多数の係合突起１４ａを有し、この外周面と前記引っ掛け具本体１２の立ち上がり部１２ｅ及び上端部分との間にかけて、電線挿入用の隙間Ｓｂが形成されており、この隙間Ｓｂが上端奥部に至る程小さくなるように形成されているとしている（特許文献２）。
【０００７】
そのため、前記図１８、１９に示した引っ掛け具は、配線しようとするケーブルの線径の大小にかかわりなく、ケーブルを回転体１４と引っ掛け具本体１２との隙間Ｓｂ内において挟持させた状態で保持させて、引き寄せることができるので、天井裏等における小空間であっても、配線工事を容易にかつ短時間に行うことができるとしている。しかも、前記隙間Ｓｂが上端奥部に至るほど狭く形成されているので、引き寄せようとするケーブルが電話線のような小径のケーブルから三相電線のような比較的太いケーブルまで、前記隙間Ｓｂの合った位置で回転体１４と引っ掛け具本体１２とで挟持することができ、これにより一つの引っ掛け具で径や巻線の異なる多種のケーブルに対応させることができるという効果を有するとしている。
【先行技術文献】
【特許文献】
【０００８】
【特許文献１】実用新案登録第２５９１７１７号公報
【特許文献２】実用新案登録第２５９０９０３号公報
【考案の概要】
【考案が解決しようとする課題】
【０００９】
しかしながら、図１６、１７に示した配線用線状物の引っ掛け具では、引っ掛け具本体１２及びスプリング体１３から構成されており、構造が簡単であるといえるが、引っ掛け具本体１２は丸棒状の一本の線材から構成され、スプリング体１３は帯板から構成されており、二種の構成部材からなるため、これらの部材を組み合わせなければならず、安価に製造できるとはいえなかった。
【００１０】
また、前記配線用線状物の引っ掛け具では、引っ掛け具本体１２と帯板スプリング体１３でケーブル等を挟み込み保持しようとしているが、器具の性質上、帯板スプリング体１３の幅を大きくとることができず有効な保持力を確保できないで、ケーブル等がすべり抜けるという課題を有していた。
【００１１】
さらに、図１８、１９に示した配線用線状物の引っ掛け具では、引っ掛け具本体１２及び回転体１４から構成されており、構造が複雑であるうえ、引っ掛け具本体１２は丸棒状の一本の線材から構成され、回転体１４は爪車などから構成されており、二種の構成部材からなるため、これらの部材を組み合わせなければならず、図１６、１７に示した引っ掛け具と同様に安価に製造できるとはいえなかった。
【００１２】
また、前記配線用線状物の引っ掛け具においても、ケーブル等を引っ掛け具本体１２と回転体１４とで挟持させた場合、回転体１４は自由な回転ができなくなり回転体１４外周の爪が障害物に引っ掛かってしまい、配線作業を手際よく行うことができないという課題を有していた。
【００１３】
そこで、この考案は、安価に製造することができると共に、配線しようとするケーブル等の線状物の線径の大小にかかわりなく、一捻りするだけで、その線状物を引っ掛けやすく、相対した開口部を持つフック部で外れないように保持させて、天井裏や壁空間等の小空間であっても、ケーブル等の牽引や押し込みの配線作業を容易に行うことができるようにした配線用線状物の引っ掛け具を提供することを目的としてなされたものである。
【００１４】
さらに、この考案は、天井裏や壁空間等の小空間において、配線しようとするケーブル等の線状物を送り込むときも、配線後の引っ掛け具を引き戻すときも、その線状物を容易に引っ掛けることができ、天井裏や壁空間等の既設の電線や、断熱材等の障害物に引っ掛かり難いものとし、配線作業を手際よく行うことができるようにした配線用線状物の引っ掛け具を提供することを目的としてなされたものである。
【課題を解決するための手段】
【００１５】
そのため、この考案の配線用線状物の引っ掛け具は、差込み空間Ｓを介して前後に対向させた二本の線材１、２のそれぞれの基端部１ａ、２ａを配線竿Ａの先端に取り付け、前記一方の線材１は、中間部に左右何れかの外方に膨出させた湾曲部１ｂを形成すると共に、先端部に前記湾曲部１ｂと反対方向に曲げたフック部１ｃを形成したものとし、前記他方の線材２は、中間部に前記線材１の湾曲部１ｂと反対方向の外方に膨出させた湾曲部２ｂを形成すると共に、先端部に前記湾曲部２ｂと反対方向に曲げたフック部２ｃを形成したものとしている。
【００１６】
そして、この考案の配線用線状物の引っ掛け具は、前記二本の線材１、２を互いに前後略対称形状にしたものとしている。
【００１７】
さらに、この考案の配線用線状物の引っ掛け具は、前記基端部１ａと基端部２ａの間に、上方から下方にかけて徐々に窄めるようにした線状物挟み部４を設けたものとしている。
【００１８】
また、この考案の配線用線状物の引っ掛け具は、前記湾曲部１ｂとフック部１ｃの間に、下方から上方にかけて徐々に窄めるようにした線状物挟み部５ａを設け、前記湾曲部２ｂとフック部２ｃの間に、下方から上方にかけて徐々に窄めるようにした線状物挟み部５ｂを設けたものとしている。
【考案の効果】
【００１９】
この考案の配線用線状物の引っ掛け具は、以上に述べたように構成されているので、安価に製造することができると共に、配線しようとするケーブル等の線状物の線径の大小にかかわりなく、一捻りするだけで、その線状物を外れないように引っ掛けることができ、天井裏や壁空間等の小空間であっても、配線作業を容易に行うことができるようになった。
【００２０】
さらに、この考案の配線用線状物の引っ掛け具は、天井裏や壁空間等の小空間において、配線しようとするケーブル等の線状物を送り込むときも、配線後の引っ掛け具を引き戻すときも、天井裏や壁空間等の既設の電線や、断熱材等の障害物に引っ掛かり難いものとなり、配線作業を手際よく行うことができるようになった。
【図面の簡単な説明】
【００２１】
【図１】この考案の配線用線状物の引っ掛け具の第一実施形態を伸縮竿の先端に取り付けた状態の説明図である。
【図２】この考案の配線用線状物の引っ掛け具の第一実施形態を線状体の先端に取り付けた状態の説明図である。
【図３】図１、２に示す引っ掛け具の斜視図である。
【図４】図１、２に示す引っ掛け具の正面図である。
【図５】図１、２に示す引っ掛け具の側面図である。
【図６】図１、２に示す引っ掛け具の底面図である。
【図７】この考案の配線用線状物の引っ掛け具の第二実施形態を伸縮竿の先端に取り付けた状態の説明図である。
【図８】この考案の配線用線状物の引っ掛け具の第二実施形態を線状体の先端に取り付けた状態の説明図である。
【図９】図７、８に示す引っ掛け具の斜視図である。
【図１０】図７、８に示す引っ掛け具の正面図である。
【図１１】図７、８に示す引っ掛け具の側面図である。
【図１２】図７、８に示す引っ掛け具の底面図である。
【図１３】図１、２に示す引っ掛け具の使用状態の説明図である。
【図１４】図７、８に示す引っ掛け具の一使用状態の説明図である。
【図１５】図７、８に示す引っ掛け具の他の使用状態の説明図である。
【図１６】従来の引っ掛け具の一例の斜視図である。
【図１７】図１６に示す従来の引っ掛け具の側面図である。
【図１８】従来の引っ掛け具の他の例の斜視図である。
【図１９】図１８に示す従来の引っ掛け具の側面図である。
【考案を実施するための形態】
【００２２】
以下、この考案の配線用線状物の引っ掛け具を実施するための形態を、図面に基づいて詳細に説明する。
【００２３】
第一実施形態としてのこの考案の配線用線状物の引っ掛け具は、図１、２に示したように、配線竿Ａの先端に、差込み空間Ｓを介して前後に対向させた二本の線材１、２のそれぞれの基端部１ａ、２ａを取り付けたものとしている。
【００２４】
前記線材１、２のうち、一方の線材１は、図３、４に示したように、中間部に左右何れかの外方に膨出させた湾曲部１ｂを形成すると共に、先端部に前記湾曲部１ｂと反対方向に曲げたフック部１ｃを形成したものとしている。前記他方の線材２は、中間部に前記線材１の湾曲部１ｂと反対方向の外方に膨出させた湾曲部２ｂを形成すると共に、先端部に前記湾曲部２ｂと反対方向に曲げたフック部２ｃを形成したものとしている。
【００２５】
前記配線竿Ａは、図１に示したような、繰り出したり繰り込んだりすることにより伸縮自在とした伸縮竿としたり、図２に示したような、長尺の線状体などとすることができる。
【００２６】
前記線材１、２は、図３、４に示したように、互いに前後対称形状にしており、通常、鋼線材としているが、剛性に富んだ合成樹脂材や合成樹脂複合材料等としてもよい。なお、前記線材１、２のそれぞれの基端部１ａ、２ａを配線竿Ａの先端に取り付けるには、取付け具Ｂを介在させたものとしているが、この取付け具Ｂを介在させることなく、両者を直結したものとしてもよい。
【００２７】
前記線材１、２の基端部１ａ、２ａは、図３、４に示したように、隙間３を設けて、前後に互いに平行に対向させたものとしており、略直線状に形成している。なお、前記線材１、２の基端部１ａ、２ａは、隙間３を設けることなく、両者を接触させたものとしてもよい。
【００２８】
前記線材１、２に形成した湾曲部１ｂ及び湾曲部２ｂは、図４に示したように、楕円の略長辺形の円弧状に形成し、互いに左右反対方向に左右略対称形状として、外方に膨張させたものとしている。なお、図示した湾曲部１ｂ及び湾曲部２ｂは、楕円の略長辺形の円弧状に形成したものとしたが、この形状に限られることなく、円形もしくは湾曲部を有したものであればよい。
【００２９】
前記線材１、２に形成したフック部１ｃ及びフック部２ｃは、図４に示したように、楕円の略短辺形の円弧状に形成し、互いに左右反対方向に左右略対称形状として、鉤状に曲げたものとしている。なお、図示したフック部１ｃ及びフック部２ｃは、楕円の略短辺形の円弧状に形成したものとしたが、この形状に限られることなく、鉤状に曲げたものであればよい。
【００３０】
さらに、第二実施形態としてのこの考案の配線用線状物の引っ掛け具は、図７、８に示したように、配線竿Ａの先端に、差込み空間Ｓを介して前後に対向させた二本の線材１、２のそれぞれの基端部１ａ、２ａを取り付けたものとしている。
【００３１】
前記線材１、２のうち、一方の線材１は、図９、１０に示したように、中間部に左右何れかの外方に膨出させた湾曲部１ｂを形成すると共に、先端部に前記湾曲部１ｂと反対方向に曲げたフック部１ｃを形成したものとしている。前記他方の線材２は、中間部に前記線材１の湾曲部１ｂと反対方向の外方に膨出させた湾曲部２ｂを形成すると共に、先端部に前記湾曲部２ｂと反対方向に曲げたフック部２ｃを形成したものとしている。
【００３２】
前記配線竿Ａは、第一実施形態と同様に、図７に示したような、繰り出したり繰り込んだりすることにより伸縮自在とした伸縮竿としたり、図８に示したような、長尺の線状体などとすることができる。
【００３３】
前記線材１、２は、図９、１０に示したように、互いに前後対称形状にしており、通常、鋼線材としているが、剛性に富んだ合成樹脂材や合成樹脂複合材料等としてもよい。なお、前記線材１、２のそれぞれの基端部１ａ、２ａを配線竿Ａの先端に取り付けるには、取付け具Ｂを介在させたものとしているが、この取付け具Ｂを介在させることなく、両者を直結したものとしてもよい。
【００３４】
前記線材１、２の基端部１ａ、２ａは、図９、１１に示したように、前後に互いに対向させたものとしており、基端部１ａと基端部２ｃの間には、上方から下方にかけて徐々に窄めるようにした線状物挟み部４を設けたものとしている。このようにした線状物挟み部４は、線径の異なる線状物を挟み込むことができる。
【００３５】
前記線材１、２に形成した湾曲部１ｂ及び湾曲部２ｂは、図１０に示したように、楕円の略長辺形の円弧状に形成し、互いに左右反対方向に左右略対称形状として、外方に膨張させたものとしている。なお、図示した湾曲部１ｂ及び湾曲部２ｂは、楕円の略長辺形の円弧状に形成したものとしたが、この形状に限られることなく、円形もしくは湾曲部を有したものであればよい。
【００３６】
前記線材１、２に形成したフック部１ｃ及びフック部２ｃは、図１０に示したように、楕円の略短辺形の円弧状に形成し、互いに左右反対方向に左右略対称形状として、鉤状に曲げたものとしている。なお、図示したフック部１ｃ及びフック部２ｃは、楕円の略短辺形の円弧状に形成したものとしたが、この形状に限られることなく、鉤状に曲げたものであればよい。
【００３７】
さらに、前記線材１の湾曲部１ｂとフック部１ｃの間には、図９、１０に示したように、下方から上方にかけて徐々に窄めるようにした線状物挟み部５ａを設け、前記線材２の湾曲部２ｃとフック部２ｃの間には、図９、１０に示したように、下方から上方にかけて徐々に窄めるようにした線状物挟み部５ｂを設けたものとしている。このようにした線状物挟み部５ａ、５ｂは、線径の異なる線状物を挟み込むことができる。
【００３８】
以上のように構成したこの考案の配線用線状物の引っ掛け具を使用して、天井裏や壁空間等に電線、ケーブル等の線状物を配線するには、この引っ掛け具を取り付けた配線竿Ａを点検口等から天井裏や壁空間等に入れ、配線竿Ａを天井裏や壁空間に送り込んでいき、この配線竿Ａの先端部を引っ掛けようとする電線、ケーブル等の付近に持って行く。
【００３９】
そして、この考案の配線用線状物の引っ掛け具に、電線、ケーブル等の線状物Ｌの先端部を次のようにして引っ掛ける。
【００４０】
第一実施形態として示したこの考案の配線用線状物の引っ掛け具では、先ず、図１３（ａ）（ｂ）に示したように、線材１、２間の差込み空間Ｓに前記線状物Ｌの先端部を入り込ませる。次に、図１３（ｃ）に示したように、線材１、２を配線竿Ａを中心として９０度回転させる。さらに、図１３（ｄ）に示したように、線材１、２を下に引いて、線材１の湾曲部１ｂとフック部１ｃの間、及び線材２の湾曲部２ｂとフック部２ｃの間に線状物Ｌを引っ掛ける。
【００４１】
第二実施形態として示したこの考案の配線用線状物の引っ掛け具では、先ず、図１４（ａ）（ｂ）に示したように、線材１、２間の差込み空間Ｓに前記線状物Ｌの先端部を入り込ませる。次に、図１４（ｃ）に示したように、線材１、２を配線竿Ａを中心として９０度回転させる。さらに、図１４（ｄ）に示したように、線材１、２を下に引いて、線材１の湾曲部１ｂとフック部１ｃの間の線状物挟み部５ａ、及び線材２の湾曲部２ｂとフック部２ｃの間の線状物挟み部５ｂに線状物Ｌを引っ掛けると共に挟み込む。
【００４２】
そこで、前記配線竿Ａを引き戻すと、線状物Ｌが天井裏や壁空間等に引き込まれ、これにより天井裏や壁空間等に線状物Ｌが配線されることになる。
【００４３】
なお、第一、二実施形態として示したこの考案の配線用線状物の引っ掛け具では、前記したように通常は二本の線材１、２により、配線しようとするケーブル等の線状物Ｌを強力に保持するが、何らかの要因で、一時的に線材１の湾曲部１ｂとフック部１ｃの間及び線材２の湾曲部２ｂとフック部２ｃの間や、線材１の線状物挟み部５ａ及び線材２の線状物挟み部５ｂから線状物Ｌが抜け落ちてしまった場合でも、互いに相対した形状の二本の線材１、２の間に線状物Ｌをおいておくことにより、図１３（ｃ）、図１４（ｃ）に示すように、線状物Ｌを引っ掛けた状態を保持することができる。
【００４４】
また、第二実施形態として示したこの考案の配線用線状物の引っ掛け具では、図１５に示したように、線材１、２間の差込み空間Ｓに前記線状物Ｌの先端部を入り込ませ、そのままこれら線材１、２の基端部１ａ、２ａに設けた線状物挟み部４に入り込ませていくことにより、この線状物挟み部４に線状物Ｌを引っ掛けると共に挟み込むことができる。
【００４５】
このようにした場合には、前記配線竿Ａを天井裏や壁空間に送り込んでいくだけによっても、天井裏や壁空間等に線状物Ｌを配線することができるものとなる。
【００４６】
この考案の配線用線状物の引っ掛け具を使用すれば、以上に述べたように天井裏や壁空間等に電線、ケーブル等の線状物を配線する場合に、配線しようとする線状物Ｌの線径の大小にかかわりなく、この線状物Ｌの先端部を、線材１の湾曲部１ｂとフック部１ｃの間、及び線材２の湾曲部２ｂとフック部２ｃの間に引っ掛けたり、これらの間に引っ掛ける共に挟み込んで、その線状物Ｌを外れないように保持させることができるので、配線作業を容易に行うことができるようになる。
【００４７】
さらに、この考案の配線用線状物の引っ掛け具では、天井裏や壁空間等に配線しようとする線状物Ｌを送り込むときも、配線後に引っ掛け具を引き戻すときも、線材１、２の湾曲部１ｂ又は湾曲部２ｂの何れかが天井裏面や壁面に接触することになるので、天井裏や壁空間等の既設の電線や、断熱材等の障害物に引っ掛かり難いものとなり、配線作業を手際よく行うことができるようになる。
【００４８】
また、この考案の配線用線状物の引っ掛け具では、二本の線材１、２のみから構成されているので、安価に製造することができるものとなる。
【符号の説明】
【００４９】
１  線材
１ａ  基端部
１ｂ  湾曲部
１ｃ  フック部
２  線材
２ａ  基端部
２ｂ  湾曲部
２ｃ  フック部
４  線状物挟み部
５ａ  線状物挟み部
５ｂ  線状物挟み部
Ａ  配線竿
Ｓ  差込み空間
【図１】
0003160665.tif 000003
【図２】
0003160665.tif 000004
【図３】
0003160665.tif 000005
【図４】
0003160665.tif 000006
【図５】
0003160665.tif 000007
【図６】
0003160665.tif 000008
【図７】
0003160665.tif 000009
【図８】
0003160665.tif 000010
【図９】
0003160665.tif 000011
【図１０】
0003160665.tif 000012
【図１１】
0003160665.tif 000013
【図１２】
0003160665.tif 000014
【図１３】
0003160665.tif 000015
【図１４】
0003160665.tif 000016
【図１５】
0003160665.tif 000017
【図１６】
0003160665.tif 000018
【図１７】
0003160665.tif 000019
【図１８】
0003160665.tif 000020
【図１９】
0003160665.tif 000021